(57)【要約】【課題】裁断寸法が自由で、メディアシートに対して画像が傾いて印刷されていても、傾いた裁断が行われることがないスリッターを得るにある。【解決手段】メディアシートの幅方向の裁断マーク位置を視認できる透明スケールと、幅方向の裁断マーク位置に位置される少なくとも２つのマーク位置検出器と、前記マーク位置検出器からの長さ方向の裁断マーク位置信号に応じて前記テーブルに対するクランプされたメディアシートの傾きを調整するメディア傾け台と、メディアシートを引取って裁断マーク位置で長さ方向にメディアシートを裁断する回転カッターを内蔵する複数のスリッター・ユニットとを備えるスリッター。【選択図】図２
2008105154.tif 000002
【特許請求の範囲】
【請求項１】
メディアシートを長さ方向に送ることができる解除可能なフィードローラを付設したテーブル上に設けられかつメディアシートの幅方向の裁断マーク位置を視認できる透明スケールと、前記メディアシートの幅方向に移動可能に前記テーブル上に位置されかつ前記透明スケールに平行な照準スケールに基づいた幅方向の裁断マーク位置に位置される少なくとも２つのマーク位置検出器と、前記テーブルのメデイアシート取入側に配置されかつ前記フィードローラの解除時に一時的にメディアシートをクランプできかつ前記マーク位置検出器からの長さ方向の裁断マーク位置信号に応じて前記テーブルに対するクランプされたメディアシートの傾きを調整するメディア傾け台と、前記フィードローラの後方に配置されて同フィードローラから傾き調整後のメディアシートを受取りかつ裁断マーク位置を切断する天地カッターと、前記テーブルの幅方向に移動可能に位置されかつ前記マーク位置検出器からの幅方向の裁断マーク位置信号に応じた幅方向位置に移動されかつ前記天地カッター直後の２次フィードローラからメディアシートを引取って裁断マーク位置で長さ方向にメディアシートを裁断する回転カッターを内蔵する少なくとも２つのスリッター・ユニットとを備えることを特徴とするスリッター。
【請求項２】
前記マーク位置検出器は各裁断マークの長さ方向及び幅方向の位置誤差を算出できる手動で移動できる監視カメラであり、前記照準スケールは前記透明スケールで目視対応位置に対応監視カメラを標準できるカメラ用スケールであることを特徴とする請求項１記載のスリッター。
【請求項３】
前記フィードローラは、前記メディア傾け台に対するメディアシートのクランプに際して、メディアシートをフィードローラから開放しかつ前記メディア傾け台によるメディア傾き調整後にメディアシートをフィードローラに咥えさせる手動操作解除レバーで解除操作されることを特徴とする請求項１又は請求項２記載のスリッター。
【請求項４】
前記マーク位置検出器の情報は制御装置のメモリに記憶され、同一メディアシートのリピート処理時に同記憶情報がメディア傾け台及びスリッター・ユニットの既定情報として用いられることを特徴とする請求項１記載のスリッター。
【発明の詳細な説明】
【技術分野】
【０００１】
本発明は印刷物を所定の大きさに裁断する裁断装置に関し、特に、１枚の印刷シートを裁断マーク位置で所定の寸法に裁断するスリッターに関する。
【背景技術】
【０００２】
周知のように、印刷後の多数枚の印刷シート（メディアシート）は、各シートのトンボマークが一致するようにスタック状態におかれ、ギロチン裁断機で所定の寸法に裁断されるのが普通である。
ところで、近年における印刷シートのデマンド化の進展に伴い、１枚〜数枚の大判シートの印刷と裁断を行う場合が多くなっているが、このような数枚の大判シートにあっては、大型裁断機で処理するには手間と費用が掛かり過ぎるため、大きなテーブル上に印刷済シートを置き、カッターナイフなどを用いて手作業で所定寸法に裁断している。
【０００３】
しかしながら、手作業による裁断作業は、熟練を要するばかりでなく、同一寸法の大判シートを数十枚処理しなければならない場合もあり、処理枚数によっては、仕上がり状態に偏差が生じたり、長時間の作業が求められることがあった。
【０００４】
また、従来では、複数の回転カッターを用いて印刷後の印刷シートを所定寸法に裁断するスリッターが提案されている。
【特許文献１】特開平１０−７６４９５号公報
【特許文献２】特開２００２−３４６９８４公報
【特許文献３】特開２００４−２３７３７７公報
【０００５】
これらのスリッターの何れも、回転カッターの位置が予め定められた状態にあるので、裁断寸法が異なる印刷シートには適用できず、裁断寸法ごとにスリッターを設計しなければならないばかりか、これらのスリッターは印刷シートの切断縁に対して、裁断マーク位置が正確に印刷処理されていることを前提にしているため、印刷画像状態が印刷シートに対して傾いて処理されている場合には、裁断後のシートに対して画像が傾いてしまっていた。
ことに大判印刷シート（ＡＯ等）においては、印刷シートの切断縁に対して画像が僅かに傾いていても、その傾きの影響が裁断結果に大きく現れる問題があった。
【発明の開示】
【発明が解決しようとする課題】
【０００６】
本発明の目的は、以上に述べたような従来のメディアシートの裁断上の問題に鑑み、裁断寸法が自由で、メディアシートに対して画像が傾いて印刷されていても、傾いた裁断が行われることがないスリッターを得るにある。
【課題を解決するための手段】
【０００７】
この目的を達成するため、本発明は、メディアシートを長さ方向に送ることができる解除可能なフィードローラを付設したテーブル上に設けられかつメディアシートの幅方向の裁断マーク位置を視認できる透明スケールと、前記メディアシートの幅方向に移動可能に前記テーブル上に位置されかつ前記透明スケールに平行な照準スケールに基づいた幅方向の裁断マーク位置に位置される少なくとも２つのマーク位置検出器と、前記テーブルのメデイアシート取入側に配置されかつ前記フィードローラの解除時に一時的にメディアシートをクランプできかつ前記マーク位置検出器からの長さ方向の裁断マーク位置信号に応じて前記テーブルに対するクランプされたメディアシートの傾きを調整するメディア傾け台と、前記フィードローラの後方に配置されて同フィードローラから傾き調整後のメディアシートを受取りかつ裁断マーク位置を切断する天地カッターと、前記テーブルの幅方向に移動可能に位置されかつ前記マーク位置検出器からの幅方向の裁断マーク位置信号に応じた幅方向位置に移動されかつ前記天地カッター直後の２次フィードローラからメディアシートを引取って裁断マーク位置で長さ方向にメディアシートを裁断する回転カッターを内蔵する少なくとも２つのスリッター・ユニットとを備えることを特徴とするスリッターを提案するものである。
【発明の効果】
【０００８】
本発明によれば、裁断マークを検出するマーク位置検出器の信号でスリッター・ユニットが裁断マーク対応位置に調節されるから、任意の裁断寸法が得られ、メディアシートに対して画像が傾いて印刷されていた場合、裁断マーク間の傾きに応じてメディアシートの傾きが予め調整されるため、大判シートであっても、画像の傾きのない正確な裁断結果が得られる。
【発明を実施するための最良の形態】
【０００９】
後述する本発明の好ましい実施例の説明では、
１）前記マーク位置検出器は各裁断マークの長さ方向及び幅方向の位置誤差を算出できる手動で移動できる監視カメラであり、前記照準スケールは前記透明スケールで目視対応位置に対応監視カメラを標準できるカメラ用スケールであることを特徴とする請求項１記載のスリッター、
２）前記フィードローラは、前記メディア傾け台に対するメディアシートのクランプに際して、メディアシートをフィードローラから開放しかつ前記メディア傾け台によるメディア傾き調整後にメディアシートをフィードローラに咥えさせる手動操作解除レバーで解除操作されることを特徴とする請求項１又は請求項２記載のスリッター、
３）前記マーク位置検出器の情報は制御装置のメモリに記憶され、同一メディアシートのリピート処理時に同記憶情報がメディア傾け台及びスリッター・ユニットの既定情報として用いられることを特徴とする請求項１記載のスリッター
が説明される。
【実施例１】
【００１０】
以下、図面について本発明の実施例によるスリッターの詳細を説明する。
図２は本発明のスリッターの全体断面図であり、同スリッターは印刷シート即ちメディアシートＳが長さ方向（図２の左右方向）に供給されるテーブルＴを備えている。
【００１１】
前記テーブルＴの上部にはメディアシートＳの表面に印刷処理されたトンボマークＭ１，Ｍ２（裁断マーク・図４示）の位置を透視できる透明スケールＳ１がメディアシートＳの幅方向に延長した状態で位置され、オペレータは各トンボマークＭ１，Ｍ２に一致した同透明スケールＳ１の目盛からセットされるメディアシートＳのトンボマークＭ１，Ｍ２位置を知ることができる。
前記テーブルＴには前記透明スケールＳ１の直後に位置した解除可能なフィードローラＦ１が配置され、同フィードローラＦ１の下ローラ１ａはシート送りモータ１で定速駆動される。
【００１２】
前記フィードローラＦ１の上ローラ１ｂはオペレータにより手動操作される解除レバー２の操作により下ローラ１ａから離間・解除できる。即ち、装置固定部の支点ピン３（図２）を中心に傾動できる解除レバー２は実線示の開放位置にあるとき下ローラ１ａと上ローラ１ｂとの間にメディアシートＳを挟んでメディアシートＳを拘束でき、２点鎖線示の解除位置に手動操作されると、下ローラ１ａから上ローラ１ｂを離してメディアシートＳの拘束を解除できる。
【００１３】
前記フィードローラＦ１に隣り合った第１シートセンサ４は、メディアシートＳの先端を感知して、シート送りに異常があるか否かを告知する。
前記テーブルＴ上には透明スケールＳ１と平行関係におかれたカメラスケールＳ２（照準スケール）が位置され、このカメラスケールＳ２の目盛を利用して監視カメラＰ１，Ｐ２の場合を示すマーク位置検出器を対応トンボマークＭ１，Ｍ２の位置に位置決めできる。つまり、２台の監視カメラＰ１，Ｐ２は、図２の紙面と直角な方向に延長した案内レール５に沿い移動できるカメラ台２１の下部に固定され、それらの視野をテーブルＴ上のメディアシートＳに向けてある。
【００１４】
したがって、カメラ台２１のつまみ２１ａを摘んでオペレータは、透明スケールＳ１の目盛で読取られたトンボマークＭ１，Ｍ２の位置に対応したカメラスケールＳ２の対応目盛にカメラ台２１の照準線（図３）を合わせることにより、各監視カメラＰ１，Ｐ２の視野内に対応トンボマークＭ１，Ｍ２を照準できる。各監視カメラＰ１，Ｐ２からのトンボマークＭ１，Ｍ２の長さ方向偏差情報及び幅方向偏差情報は、図１４の制御装置ｃｐｕのメモリに記憶されると共に、長さ方向偏差情報からメディア傾け台３０の傾け指令信号が算定され、後述する傾けモータ３１（図８示）が駆動される。
【００１５】
なお、図示実施例では、カメラ台２１を手動操作するものを示すが、カメラ台２１をステッピングモータ駆動とし、透明スケールＳ１で読取ったトンボマークＭ１，Ｍ２の位置情報を入力キー９８（図８）から入力し、同入力信号に対応した値だけカメラ台２１をステッピングモータで移動させ、対応トンボマークＭ１，Ｍ２の位置に監視カメラＰ１，Ｐ２を照準させる構成とすることもできる。
【００１６】
前記テーブルＴのメディアシート取入端部には、取り扱われるメディアシートＳを一時的にクランプしてメディアシートＳの傾きを調整するメディア傾け台３０が配置される。
詳細を図５及び図６に示すメディア傾け台３０は、メディアシートＳの幅方向中央の中心軸３２を中心として水平面内で傾動できるもので、その上面には両端部の押上げばね３３で上方に付勢されたクランプ板３４を備えている。即ち、このクランプ板３４は、図５に示す手動操作可能なクランプレバー３５の矢印方向の回動により上下動部材３６及びプッシャ３７により強制下降され、供給されたメディアシートＳをメディア傾け台３０の表面に押付けクランプする。
【００１７】
また、前記メディア傾け台３０の一端部には正逆転可能な傾けモータ３１（図６）が臨ませてあり、この傾けモータ３１の送りねじ３９で往復動されるナット固定板４１上に一対の主動板４１ａ，４１ｂが起立される。そして、これらの主動板４１ａ，４１ｂ間に位置されるベアリング４３はメディア傾け台３０の端面に片持ち状態で固定される保持部材４４の軸４５に回転可能に支持される。
したがって、傾けモータ３１が制御装置ｃｐｕの指令によりトンボマークＭ１，Ｍ２の長さ方向偏差情報に見合った回転数だけ回転されると、メディアシートＳをクランプしたまま、メディア傾け台３０は中心軸３２を中心として傾動され、テーブルＴに対するメディアシートＳの画像の傾きが修正される。
【００１８】
図２に戻って、前記テーブルＴに対しては案内レール５の略直下に位置した天地カッターＣが配置され、テーブルＴの幅方向に延長する天地カッターＣにより傾き状態を揃えられたトンボマークＭ１，Ｍ２の位置が同天地カッターＣで切断される。この天地カッターＣは、入力キー７から予め入力されるメディアシートＳの長さ方向トンボマークＭ１，Ｍ２間距離に対応したタイミングで動作され、後端トンボマークＭ１，Ｍ２位置でメディアシートＳを切断する。
【００１９】
前記天地カッターＣの直後のテーブルＴにはトンボマークＭ１，Ｍ２の位置から切断されたメディアシートＳを引取る２次フィードローラＦ２が配置され、これらの２次フィードローラＦ２の回転送り運動により平面状態を保ったまま、メディアシートＳは後続のスリッター・ユニットＵ１，Ｕ２に送込まれる。
メディアシートＳの幅方向に隣り合って１対だけ設けられる同スリッター・ユニットＵ１，Ｕ２は、図３に示すように、移動送りネジ５２Ａ，５２Ｂの回転で幅方向に移動できるユニットフレーム５３を備え、同ユニットフレーム５３には、スライド兼回転軸７１により回転駆動される回転カッター５４及び同回転カッター５４の表面に押圧ばね５６で圧接される回転刃５８が内蔵される。
【００２０】
スリッター・ユニットＵ１，Ｕ２の独立した幅方向の移動のため、前記スライド兼回転軸７１と平行な送りねじ軸５２が設けられ、同送りねじ軸５２の回転により各スリッター・ユニットＵ１，Ｕ２は対応トンボマークＭ１，Ｍ２位置まで送られ、２次フィードローラＦ２の回転運動によるメディアシートＳの送り運動に伴って、各スリッター・ユニットＵ１，Ｕ２の回転カッター５４で対応トンボマークＭ１，Ｍ２位置からメディアシートＳが長さ方向にカットされる。
【００２１】
次に、図８に示した制御部のブロックダイヤグラムについて、前述したスリッターの動作を説明する。
シングルモード
オペレータがシングルモードを選択した場合、フィードローラＦ１の上ローラ１ｂが解除レバー２で持上げられ、メディアシートＳは、メディア傾け台３０のクランプ板３４の下とフィードローラＦ１の上ローラ１ｂの下との間に形成される空間を通ってテーブルＴ上に導入される。この場合、オペレータは、入力キー９８から既知の幅方向トンボマークＭ１，Ｍ２間距離を入力するが、このトンボマークＭ１，Ｍ２間距離は制御装置ｃｐｕのメモリに記憶される。
このメディアシートＳの導入に際して、図４に示すように、オペレータはメディアシートＳの画像面に印字されたトンボマークＭ１，Ｍ２を透明スケールＳ１の目盛の位置に合わせ、解除レバー２を手動操作して上ローラ１ｂを下降させ、つまみ２１ａを摘んでカメラ台２１を幅方向に移動させ、カメラ台２１の指示線をカメラスケールＳ２の対応目盛に合わせる（ステップＳ１）。
【００２２】
次に、スタートボタン（図示せず）を押圧すると、シート送りモータ１が予め定めた回転数だけ駆動され、メディアシートＳのトンボマークＭ１，Ｍ２が対応する監視カメラＰ１，Ｐ２の視野内に位置される。この場合、第１シートセンサ４によりメディアシートＳの存在が確認され、メディアシートＳがない場合はアラーム信号が発信される（ステップＳ２）。
この後、制御装置ｃｐｕに第１監視カメラＰ１及び第２監視カメラＰ２からのトンボマークＭ１，Ｍ２の認識信号が入力されるが、同認識信号が異常な値であったり、認識されない場合は、アラーム信号が発信され、メディアシートＳのセット異常か、第１監視カメラＰ１及び／又は第２監視カメラＰ２の位置決め異常があることが告知される（ステップＳ３）。
【００２３】
第１監視カメラＰ１及び第２監視カメラＰ２からのトンボマークＭ１，Ｍ２の認識信号の内、トンボマークＭ１，Ｍ２の長さ方向の位置偏差がある場合、制御装置ｃｐｕは「傾きあり」と判定する。表示ランプが点灯し、読み取り完了を発信する（ステップＳ４）。クランプレバー３５を手動操作し、クランプ板３４が下降後、解除レバー２の操作でフィードローラＦ１の上ローラ１ｂが持上げられ、メディア傾け台３０にメディアシートＳが一時的にクランプされると同時的に同メディアシートＳがフィードローラＦ１から自由になる（ステップＳ５）。
【００２４】
これらのクランプレバー３５及び解除レバー２の手動操作の後、「傾き調整」スタートボタン（図示せず）がオペレータにより押圧され、「傾き調整」が指示されると、傾けモータ３１が駆動され、メディア傾け台３０が中心軸３２を中心として水平面内で傾動される（ステップＳ６）。
このステップＳ６の後、ステップＳ２へ戻り、メディア傾け台３０の傾動運動は、第１監視カメラＰ１及び第２監視カメラＰ２からのトンボマークＭ１，Ｍ２の長さ方向位置偏差がなくなるまで続行されるが、トンボマークＭ１，Ｍ２の長さ方向位置偏差がなくなると、このことがブザーの鳴動等の告知手段により、オペレータに告知される（ステップＳ７）。
【００２５】
この後、オペレータにより解除レバー２が戻され、画像の傾きを修正された状態でメディアシートＳがフィードローラＦ１に挟持され、メディア傾け台３０のクランクレバー３５の手動操作によりクランプ板３４が上昇されてメディア傾け台３０に対するメディアシートＳのクランプ状態が解消される（ステップＳ８）。
これらの手動操作の後、入力キー７１から準備状態が完了したことを入力すると、オペレータにより入力されたトンボマークＭ１，Ｍ２の位置情報と監視カメラＰ１，Ｐ２で検出した幅方向の位置情報から各スリッター・ユニットＵ１，Ｕ２の位置が割り出され、この指令信号に基づいてユニット送りモータ６３が駆動され、各スリッター・ユニットＵ１，Ｕ２が送りねじ軸６１によってメディアシートＳの幅方向へ移動される。この結果、各スリッター・ユニットＵ１，Ｕ２の回転カッター５４の位置が対応するトンボマークＭ１，Ｍ２に厳密に対応される（ステップＳ９）。
【００２６】
各スリッター・ユニットＵ１，Ｕ２の幅方向への移動・停止の後、シート送りモータ１によりフィードローラＦ１が一定時間だけ駆動されるが、フィードローラＦ１はトンボマークＭ１，Ｍ２が天地カッターＣに一致したとき、停止される。そして、メディアシートＳの停止後にカッターモータ６９が動作され、天地カッターＣによりメディアシートＳはトンボマークＭ１，Ｍ２の位置から切断され、トンボマークＭ１，Ｍ２の先端部が切落とされる（ステップＳ１０）。
次に、２次フィードローラＦ２位置の第２シートセンサ９９によるメディアシートＳの感知で、シート送りモータ１及びフィードモータ６５によりフィードローラＦ１及び２次フィードローラＦ２が回転駆動され、制御装置ｃｐｕの指令により回転刃モータ６７が回転され、メディアシートＳの幅方向両側の余白部分が切除される（ステップＳ１１）。
【００２７】
これと同時に、フィードローラＦ１及び２次フィードローラＦ２の回転駆動により、予め入力されたトンボマークＭ１，Ｍ２のメディアシートＳの長さ方向距離分だけメディアシートＳが送られると、フィードローラＦ１及び２次フィードローラＦ２が停止される。フィードローラＦ１及び２次フィードローラＦ２の停止後、再びカッターモータ６９が動作され、天地カッターＣによりメディアシートＳは後端トンボマークＭ１，Ｍ２の位置から切断され、所定の寸法にメディアシートＳが裁断される（ステップＳ１２）。
最後に、シート送りモータ１及びフィードモータ６５によりフィードローラＦ１及び２次フィードローラＦ２が再び回転駆動され、メディアシートＳの残りの部分が機外に排出される（ステップＳ１３）。
【００２８】
リピートモード
同一仕様の複数枚のメディアシートＳを処理する場合、オペレータによりリピートモードが選択されると、必要枚数の入力が促され、必要枚数の入力により、前述したステップＳ１からステップＳ１３までの動作が繰り返され、ステップＳ１３の終了時に必要枚数を記憶するカウンタが減算され、最後のメディアシートＳの処理後に手動入力されたトンボマークＭ１，Ｍ２の幅方向距離及び長さ方向距離の情報がクリヤされることになる。
【００２９】
シリーズモード
１枚のメディアシートＳに同一画像が長さ方向に連続的に印刷処理されているメディアシートＳの処理の場合、オペレータによりシリーズモードが選択される。このシリーズモードでは、連続枚数を示す設定枚数の入力が促され、設定枚数の入力によりステップＳ１２の終了時に必要枚数を記憶するカウンタが減算され、ステップＳ１０からステップＳ１２までの動作がくりかえされる。勿論、リピートモードの場合と同様に、最後のメディアシートＳの処理後に手動入力されたトンボマークＭ１，Ｍ２の幅方向距離及び長さ方向距離の情報がクリヤされることになる。
【産業上の利用可能性】
【００３０】
前述した本発明の実施例の説明では、２つの監視カメラとこれらの監視カメラに対応する２基のスリッター・ユニットを備えるものを例示したが、メディアシートを幅方向に複数に裁断する場合には、裁断数に応じた数の監視カメラ及びスリッター・ユニットを配置してもよい。
また、前述した本発明の実施例の説明では、手動操作する解除レバー２及びクランプレバー３５を用いるものを例示したけれども、これらは制御装置ｃｐｕからの指令信号で動作するアクチュエータに置換してもよい。
【図面の簡単な説明】
【００３１】
【図１】本発明によるスリッターの概念図である。
【図２】同スリッターの全体断面図である。
【図３】同スリッターの要部拡大平面図である。
【図４】同スリッターの透明スケールとカメラスケールとの関係を示す平面図である。
【図５】同スリッターのメディア傾け台の要部端面図である。
【図６】同メディア傾け台の駆動部の拡大平面図である。
【図７】同メディア傾け台の駆動部の斜視図である。
【図８】本発明によるスリッター制御部のブロックダイヤグラムである。
【符号の説明】
【００３２】
Ｃ        天地カッター
Ｆ１      フィードローラ
Ｍ１，Ｍ２  トンボマーク
Ｓ          メディアシート
Ｓ１        透明スケール
Ｓ２        カメラスケール
Ｔ          テーブル
Ｕ１,Ｕ２    スリッター・ユニット
３０        メディア傾け台
５４        回転カッター
【図１】
2008105154.tif 000003
【図２】
2008105154.tif 000004
【図３】
2008105154.tif 000005
【図４】
2008105154.tif 000006
【図５】
2008105154.tif 000007
【図６】
2008105154.tif 000008
【図７】
2008105154.tif 000009
【図８】
2008105154.tif 000010